(57)【特許請求の範囲】
【請求項１】
演奏者によって操作される鍵と、
前記鍵の下方に位置して支持部材に固定されるとともに、前記鍵の後端部を回転可能に支持して前記鍵の前端の上下動を許容するフレームと、
前記鍵の下方に位置して中間部にて前記支持部材に回転可能に支持されるとともに、前端部にて前記鍵に係合し、前記鍵の操作に連動して回動する質量体とを備えた電子楽器の鍵盤装置において、
前記フレームは、
前後方向に所定距離だけ隔てて横方向に延設されて、前記鍵の前部分及び後部分の下方にそれぞれ位置する前板部及び後板部と、
前記前板部及び後板部の下方であって前記前板部及び後板部の前後方向の間に位置して横方向に延設されるとともに、前記前板部と後板部の前後方向の間隔以下の前後方向の幅を有する中間板部と、
前記前板部及び後板部の横方向の所定箇所にて、前記前板部の後端面及び前記後板部の前端面から下方に延設されて下端にて前記中間板部の上面に接続された第１リブ部とを備えて、前記前板部、後板部、中間板部及び第１リブ部を一体形成してなり、
前記中間板部上に前記質量体の後端部の下方への変位を規制する下限ストッパを設けたことを特徴とする電子楽器の鍵盤装置。
【請求項２】
請求項１に記載の電子楽器の鍵盤装置において、
前記第１リブ部の下部に後端面及び前端面のうちの一方の端面から前後方向に延びた第１の切り欠きを設け、
前記中間板部における前記第１の切り欠きに対向する位置に、前記第１リブ部の一方の端面と対応する前記中間板部の一方の端面側から前後方向に延びるとともに前記第１リブ部の横方向の厚さ以上の横幅を有する第２の切り欠きを設け、かつ
前記中間板部の後部及び前部のうちの前記第１リブ部の一方の端面側部分の上面に、前記下限ストッパを横方向に延設して設けるようにしたことを特徴とする電子楽器の鍵盤装置。
【請求項３】
請求項１又は２に記載の電子楽器の鍵盤装置において、
前記中間板部の下面に、横方向に延設した第２リブ部を前記フレームに一体形成したことを特徴とする電子楽器の鍵盤装置。
【請求項４】
請求項１乃至３のうちのいずか一つに記載の電子楽器の鍵盤装置において、
前記中間板部の横方向の所定箇所にて下方に延設されて、前記フレームを下方から前記支持部材に固定するためのボス部を前記フレームに一体形成したことを特徴とする電子楽器の鍵盤装置。
【発明の詳細な説明】
【技術分野】
【０００１】
本発明は、電子オルガン、電子ピアノなどの電子楽器の鍵盤装置に関する。
【背景技術】
【０００２】
従来から、下記特許文献１に示されるとともに図５に示すように、ピアノのような自然楽器の鍵タッチ感触に近い重量感のある鍵タッチ感触を実現するために、ハンマーと呼ばれる金属棒状の質量体１４を備えた電子楽器は知られている。この電子楽器は、演奏者によって操作される鍵１１の下方に位置して支持部材１２に固定されるフレーム１３を備え、フレーム１３は鍵１１の後端部を回転可能に支持して鍵１１の前端の上下動を許容する。質量体１４は、鍵１１の下方にて位置して中間部にて支持部材１２に回転可能に支持され、前端部にて鍵１１に係合し、鍵１１の押離鍵操作に連動して回動する。また、この鍵盤装置においては、質量体１４の後端部の下方への変位を規制して鍵１１の前端の上限位置を規定するフェルトからなる下限ストッパ１５と、質量体１４の後端部の上方への変位を規制して鍵１１の前端の下限位置を規定するフェルトからなる上限ストッパ１６とが、フレーム１３に固着されている。
【特許文献１】特開２００７−２５６０２号公報
【発明の開示】
【０００３】
上記のように構成した鍵盤装置においては、ある程度ピアノのような自然楽器の鍵タッチ感触が得られるものの、鍵１１の前後方向の長さが短いと、鍵１１の慣性モーメントが小さく、必ずしも良好な鍵タッチ感が得られないという問題がある。そこで、近年、鍵１１の慣性モーメントを大きくしてゆったりした良好な鍵タッチ感触を得るために、鍵１１の長さを長くすることが提案されている。すなわち、図６に示すように、フレーム１３の後部水平部分を後方に延長して、鍵１１の前後方向の長さを大きくすることが可能な鍵盤装置が提案されている。
【０００４】
しかし、前記図６に示すようなフレーム１３においては、後方に延長したフレーム１３の後水平部１３ａが、下限ストッパ１５を固着するために後方に延設されたストッパ固定部１３ｂに対向する空間Ａが存在することになる。一方、このようなフレーム１３は、通常、上型及び下型を用いて樹脂で一体成型されるものであるが、前記空間Ａの存在により、上型と下型との間に樹脂を注入した後、上型を鍵１１に対して上方へ取り外すとともに、下型を鍵１１に対して下方へ取り外すという単純な作業ではなく、前記Ａ部分に位置する金型を水平方向に大きくスライドさせる必要があり、フレーム１３を簡単に一体成型することができなくなるという問題が発生する。なお、図５の構成においても、質量体１４の先端部が上下に通過するフレーム１３の開口部に関しては、単に上型及び下型を単純に上下に取り外すことは不能であるが、フレーム１３は比較的薄いので、前記図６の鍵盤装置に比べれば、フレーム１３の一体成型は容易である。
【０００５】
本発明は前記問題に対処するためになされたもので、その目的は、良好な鍵タッチ感触を得ることができるとともに、フレームを簡単に一体成型できるようにした電子楽器の鍵盤装置を提供することにある。
【０００６】
前記目的を達成するために、本発明の特徴は、演奏者によって操作される鍵と、鍵の下方に位置して支持部材に固定されるとともに、鍵の後端部を回転可能に支持して鍵の前端の上下動を許容するフレームと、鍵の下方に位置して中間部にて支持部材に回転可能に支持されるとともに、前端部にて鍵に係合し、鍵の操作に連動して回動する質量体とを備えた電子楽器の鍵盤装置において、フレームは、前後方向に所定距離だけ隔てて横方向に延設されて、鍵の前部分及び後部分の下方にそれぞれ位置する前板部及び後板部と、前板部及び後板部の下方であって前板部及び後板部の前後方向の間に位置して横方向に延設されるとともに、前板部と後板部の前後方向の間隔以下の前後方向の幅を有する中間板部と、前板部及び後板部の横方向の所定箇所にて、前板部の後端面及び後板部の前端面から下方に延設されて下端にて中間板部の上面に接続された第１リブ部とを備えて、前板部、後板部、中間板部及び第１リブ部を一体形成してなり、中間板部上に質量体の後端部の下方への変位を規制する下限ストッパを設けたことにある。
【０００７】
上記のように構成した本発明において、中間板部の前後方向の幅は前板部と後板部の前後方向の間隔以下であり、すなわち前板部の前端から後板部の後端までの距離以下である。そして、この中間板部上に、質量体の後端部の下方への変位を規制する下限ストッパが設けられている。したがって、鍵の前後方向の長さを長くしても、すなわち前板部の前端から後板部の後端までの長さを長くしても、下限ストッパが設けられた中間板部は、上下方向において、前板部及び後板部に対向しない。これにより、フレームを樹脂で一体成型する場合、上型と下型との間に樹脂を注入した後、少なくともに中間板部の上型及び下型の取り外しに関しては、金型を水平方向にスライドさせることなく、上型を鍵に対して上方へ取り外すとともに、下型を鍵に対して下方へ取り外すという単純な作業で済む。その結果、本発明に係る鍵盤装置においては、フレームを簡単に樹脂で一体成型することができるようになる。
【０００８】
また、本発明の他の特徴は、第１リブ部の下部に後端面及び前端面のうちの一方の端面から前後方向に延びた第１の切り欠きを設け、中間板部における前記第１の切り欠きに対向する位置に、前記第１リブ部の一方の端面と対応する中間板部の一方の端面側から前後方向に延びるとともに第１リブ部の横方向の厚さ以上の横幅を有する第２の切り欠きを設け、中間板部の後部及び前部のうちの前記第１リブ部の一方の端面側部分の上面に、下限ストッパを横方向に延設して設けるようにしたことにある。これによれば、中間板部の後部及び全部のうちの前記第１リブ部の一方の端面側部分の上方に横方向に連続した空間が形成されるので、横方向に長尺状に形成した下限ストッパを、第１リブと干渉することなく、中間板部上に設けることができ、下限ストッパの中間板部に対する組み付け作業が簡素化される。また、前記のように第１リブ部に第１の切り欠きを設けても、中間板部に第２の切り欠きを設けたことにより、第１の切り欠きの端面の下方には、中間板部を構成する部材が存在しないので、フレームを簡単に樹脂で一体成型することができるようになる。
【０００９】
また、本発明の他の特徴は、中間板部の下面に、横方向に延設した第２リブ部をフレームに一体形成したことにある。この場合、前記のように、第１リブ部に第１の切り欠きを設けるとともに、中間板部に第２の切り欠きを設けた場合には、中間板部の後部及び前部のうちで前記第１リブ部の一方の端面側部分と反対側の端面側部分の下面に、第２リブ部を形成すればよい。これによれば、中間板部を薄く構成し、又は第1リブを設ける横方向の間隔を大きくしても、中間板部の横方向の強度が補強されて同強度をある程度大きく保つことができ、中間板部の横方向に沿った上下方向への曲げを防止することができる。
【００１０】
本発明の他の特徴は、中間板部の横方向の所定箇所にて下方に延設されて、フレームを下方から支持部材に固定するためのボス部をフレームに一体形成したことにある。この場合、前記のように、第２リブ部を設けた場合には、第２リブ部の横方向の所定箇所にて下方に延設されるように、ボス部を形成すればよい。これによれば、フレームを支持部材に固定する際に、前板部と後板部の間にて上方から中間板部にねじ、工具などを挿入する必要がなくなり、中間板部を支持部材の下方からねじなどにより固定することができるようになり、フレームの支持部材に対する組み付け作業が簡単になる。
【発明を実施するための最良の形態】
【００１１】
ａ．第１実施形態
以下、本発明の第１実施形態について図面を用いて説明すると、図１Ａは第１実施形態に係る電子楽器の鍵盤装置の縦断側面図である。図１Ｂは図１Ａのフレーム２２の後部分を上方から見た拡大部分平面図であり、図１Ｃは図１ＢのＣ−Ｃ線に沿って見たフレーム２２の部分背面図である。この鍵盤装置は、支持部材（支持台）２１に固定されたフレーム２２を有する。フレーム２２には、横方向に配列されて、演奏者によって押離鍵操作される複数の白鍵２３及び黒鍵２３が組み付けられている。以下、これらの白鍵２３及び黒鍵２３を単に鍵２３として説明する。
【００１２】
フレーム２２は、樹脂により一体成型され、前板部２２ａ、後板部２２ｂ、中間板部２２ｃ及びリブ部２２ｄを有する。前板部２２ａは、横方向に水平に延設されて、鍵２３の前部下方に位置する。後板部２２ｂは、前板部２２ａと同一水平面上にて、横方向に延設されて、鍵２３の後部下方に位置する。中間板部２２ｃは、前板部２２ａと後板部２２ｂの前後方向の間隔よりも小さな前後方向の幅を有し、前板部２２ａ及び後板部２２ｂの下方にて横方向に水平に延設されている。中間板部２２ｃは、その横方向の適宜位置にて、ねじ２４により支持部材２１に固定されている。リブ部２２ｄは、前板部２２ａ及び後板部２２ｂの横方向の所定箇所にて、前板部２２ａの後端面及び後板部２２ｂの前端面から下方に垂直に延設されて、下端にて中間板部２２ｃの上面に接続されている。リブ部２２ｄは、横方向から見て上方から下方に向かって幅狭となる台形状であり、その前端面は下方に向かって前板部２２ａの後端面から斜め後方に傾斜しており、その後端面は下方に向かって後板部２２ｂの前端面から斜め前方に傾斜している。
【００１３】
後板部２２ｂの後端部には、フレーム２２の一部として一体形成された立ち上がり部２２ｅが設けられている。立ち上がり部２２ｅは、横方向に延設されるとともに、後板部２２ｂの後端部から垂直上方に起立している。この立ち上がり部２２ｅに、鍵２３が、その後端部にて支点２３ａを中心に紙面と垂直軸線周りに回転可能に組み付けられている。これにより、鍵２３の前端の上下動が許容される。前板部２２ａの前端部には、フレーム２２の一部として一体形成された立ち下がり部２２ｆが設けられている。立ち下がり部２２ｆは、横方向に延設されるとともに、前板部２２ａの前端部から垂直下方に延びている。立ち下がり部２２ｆの下端部には、前方に突出した突出部２２ｇが設けられている。突出部２２ｇも、フレーム２２の一部として一体形成されて、横方向に水平に延設されている。突出部２２ｇは、その横方向の適宜位置にて、ねじ２５により支持部材２１に固定されている。
【００１４】
鍵２３は、前後方向に延設されるとともに、下方に開放された縦断面コ字状を有する形状に樹脂により一体成型されている。鍵２３は、その前部下面から下方に突出した一体形成された駆動部２３ｂを有する。前板部２２ａの中間部には、上下に貫通する貫通孔２２ａ１が設けられており、駆動部２３ｂはこの貫通孔２２ａ１を貫通して前板部２２ａの下方に突出している。駆動部２３ｂの横断面形状は、後方に開放したコ字状に形成されるとともに、下端部内に互いに対向する一対の水平板を備えている。この一対の水平板の間には、後方に開放された方形状の空間が形成され、この方形状の空間内に揺動レバー２６の後端部が侵入して駆動部２３ｂに係合している。
【００１５】
揺動レバー２６は、所謂ハンマーと呼ばれるもので、金属材料で棒状に形成した質量体で構成されており、その後端部は中間板部２２ｃ上に位置する。なお、揺動レバー２６の後部を折り曲げて、揺動レバー２６の質量を大きくするようにしてもよい。特に、低音側の揺動レバー２６の後部の質量を大きくするとよい。揺動レバー２６は、その前部分の所定位置にて、回転中心２６ａを中心に紙面垂直軸線周りに回転可能に支持部材２１により支持されている。揺動レバー２６は、鍵２３の駆動部２３ｂとの係合により、鍵２３の前端を常時上方に付勢している。
【００１６】
中間板部２２ｃ上には、隣接するリブ部２２ｄで挟まれる範囲ごとに、下限ストッパ２７が固着されている。下限ストッパ２７は、フェルトなどの衝撃吸収部材により横方向に長尺状に構成されていて、鍵２３の離鍵時に、揺動レバー２６の後端の下方への変位を規制して、鍵２３の前端の上方への変位を規制する。前板部２２ａの後端部下面には、上限ストッパ２８が固着されている。上限ストッパ２８は、フェルトなどの衝撃吸収部材により横方向に長尺状に構成されていて、鍵２３の押鍵時に、揺動レバー２６の後端の上方への変位を規制して、鍵２３の前端の下方への変位を規制する。なお、前板部２２ａの上面には、鍵２３の押鍵操作を検出するための鍵スイッチが設けられているが、この鍵スイッチは本発明に直接関係しないので省略されている。
【００１７】
次に、上記のように構成した第１実施形態に係る鍵盤装置の動作を説明する。鍵２３を押鍵操作しない状態では、揺動レバー２６の後端部はその自重により下限ストッパ２７に当接している。この状態では、鍵２３の前端は、駆動部２３ｂと揺動レバー２６の後端部との係合により図１Ａの状態に保たれる。鍵２３が押鍵操作されると、鍵２３は揺動レバー２６の自重に抗して、支点２３ａを中心にして、図１Ａにて反時計回りに回転し始める。そして、鍵２３が所定の深さまで押鍵されると、揺動レバー２６の後端部が上限ストッパ２８に当接して鍵２３の前端部の下方への変位が規制される。このとき、図示しない鍵スイッチにより鍵２３の押鍵操作が検出されて、この押鍵操作の検出に応答して、電気回路で構成した図示しない楽音信号発生回路が押鍵操作された鍵２３に対応した鍵音高の楽音信号を発生する。
【００１８】
前記押鍵された鍵２３が離鍵されると、揺動レバー２６が自重により図１Ａにて時計回りに回転して、揺動レバー２６の後端部が下限ストッパ２７上に当接する。これにより、揺動レバー２６の回転は停止する。この揺動レバー２６の回転に連動して、鍵２３の前端部はふたたび前記図１Ａの状態に復帰する。そして、前記図示しない鍵スイッチにより鍵２３の離鍵操作が検出されて、この離鍵操作の検出に応答して、前記図示しない楽音信号発生回路が前記楽音信号の発生を停止する。
【００１９】
上記のように構成するとともに作動する鍵盤装置においては、揺動レバー２６が、ピアノのような自然楽器の鍵タッチ感触に近い重量感のある鍵タッチ感触を与えるために、鍵タッチ感が良好となる。また、鍵２３の前後方向の長さが長く構成されているので、鍵２３自体の慣性モーメントが大きく、より良好な鍵タッチ感が得られる。
【００２０】
また、上記のように構成した鍵盤装置においては、中間板部２２ｃの前後方向の幅は前板部２２ａと後板部２２ｂの前後方向の間隔以下であり、すなわち前板部２２ａの前端から後板部２２ｂの後端までの距離以下である。そして、この中間板部２２ｃ上に、下限ストッパ２７が設けられている。したがって、鍵２３の前後方向の長さを長くしても、すなわち前板部２２ａの前端から後板部２２ｂの後端までの長さを長くしても、下限ストッパ２７が設けられた中間板部２２ｃは、上下方向において、前板部２２ａ及び後板部２２ｂに対向しない。これにより、フレーム２２を樹脂で一体成型する場合、上型と下型との間に樹脂を注入した後、中間板部２２ｃの上型及び下型の取り外しに関しては、金型を水平方向にスライドさせることなく、上型を鍵２３に対して上方へ取り外すとともに、下型を鍵２３に対して下方へ取り外すという単純な作業で済む。その結果、上記第１実施形態の鍵盤装置においては、フレーム２２を簡単に樹脂で一体成型することができるようになる。
【００２１】
ｂ．第２実施形態
次に、本発明の第２実施形態について図面を用いて説明する。図２Ａは第２実施形態に係る電子楽器の鍵盤装置の縦断側面図である。図２Ｂは図２Ａのフレーム２２の後部分を上方から見た拡大部分平面図であり、図２Ｃは図２ＢのＣ−Ｃ線に沿って見たフレーム２２の部分背面図である。
【００２２】
この第２実施形態に係る鍵盤装置においては、リブ部２２ｄの下部に後端面から前方に延びた切り欠き２２ｄ１を設けている。具体的には、リブ部２２ｄにおいて、中間板部２２ｃの上面位置から上方に所定長さだけ隔てた中間位置までの範囲で、リブ部２２ｄの後端面から所定の長さだけ前方に切り欠いた方形状の切り欠き２２ｄ１が設けられている。また、中間板部２２ｃにおける前記切り欠き２２ｄ１に対向する位置には、中間板部２２ｃの後端面から前後方向に延びるとともにリブ部２２ｄの横方向の厚さ（板厚）以上の横幅を有する切り欠き２２ｃ１が設けられている。具体的には、リブ部２２ｄに設けた切り欠き２２ｄ１の下方に中間板部２２ｃを構成する部材が存在しないように、前記切り欠き２２ｄ１の上面及び側面が下方向にて対向する面を全て包含するように、中間板部２２ｃには後端面から方形状の切り欠き２２ｃ１が設けられている。この第２実施形態においては、切り欠き２２ｃ１の横幅はリブ部２２ｄの板厚よりも大きく、また切り欠き２２ｃ１の前端面はリブ部２２ｄの切り欠き２２ｄ１の前端面と一致している。
【００２３】
この切り欠き２２ｄ１により、中間板部２２ｃの後側部分の上方には、横方向に連続した空間が形成されている。そして、この空間を利用して、中間板部２２ｃの後部側の上面に、長尺の下限ストッパ２７が横方向に延設されて固着されている。なお、下限ストッパ２７の下方における切り欠き２２ｃ１を設けた位置には、中間板部２２ｃを構成する部材が存在しないが、この部分は揺動レバー２６が当接する下限ストッパ２７の横方向位置からずれているので、切り欠き２２ｃ１を設けたことによる下限ストッパ２７の強度の問題はない。
【００２４】
上記のように構成した第２実施形態においても、上記第１実施形態と同様に、鍵２３の押離鍵操作に応じて楽音信号の発生が制御される。そして、この第２実施形態においても、揺動レバー２６及び前後方向に長く形成した鍵２３により、良好な鍵タッチ感が得られる。さらに、この第２実施形態においては、横方向に長尺状に形成した下限ストッパ２７を、リブ部２２ｄと干渉することなく、中間板部２２ｃ上に設けることができ、下限ストッパ２７の中間板部２２ｃに対する組み付け作業が簡素化される。また、この場合には、リブ部２２ｄに切り欠き２２ｄ１を設けるのに加えて、中間板部２２ｃにも切り欠き２２ｃ１を設けたので、中間板部２２ｃは、上下方向において、前板部２２ａ、後板部２２ｂ、及びリブ部２２ｄに設けた切り欠き２２ｄ１の端面に対向しない。その結果、この第２実施形態においても、フレーム２２を簡単に樹脂で一体成型することができる。
【００２５】
ｃ．第３実施形態
次に、本発明の第３実施形態について図面を用いて説明する。図３Ａは第３実施形態に係る電子楽器の鍵盤装置の縦断側面図である。図３Ｂは図３Ａのフレーム２２の後部分を上方から見た拡大部分平面図であり、図３Ｃは図３ＢのＣ−Ｃ線に沿って見たフレーム２２の部分背面図である。
【００２６】
この第３実施形態に係る鍵盤装置においては、上記第２実施形態の中間板部２２ｃの下面に、横方向に延設した補強用リブ部２２ｃ２をフレーム２２に一体形成したことにある。この場合、中間板部２２ｃを、後方に向かうに従って下方に傾斜して形成して、切り欠き２２ｃ１の前端面よりも前方に位置する中間板部２２ｃの前端部分の下面に、縦断面形状を方形状とする横方向に延設された補強用リブ部２２ｃ２が一体形成されている。そして、この補強用リブ部２２ｃ２は、上下方向において、前板部２２ａ、後板部２２ｂ、及びリブ部２２ｄに設けた切り欠き２２ｄの端面に対向しないように中間板部２２ｃに設けられている。なお、この場合、ねじ２４は、この補強用リブ部２２ｃ２を貫通して、中間板部２２ｃを支持部材２１に固定している。他の構成は、上記第２実施形態と同じである。
【００２７】
上記のように構成した第３実施形態においても、上記第１及び第２実施形態と同様に、鍵２３の押離鍵操作に応じて楽音信号の発生が制御される。そして、この第３実施形態は、前述のように、第２実施形態に係る鍵盤装置における中間板部２２ｃに補強用リブ部２２ｃ２を設けた点だけ第２実施形態と相違する。したがって、この第３実施形態によれば、上記第２実施形態の効果に加え、中間板部２２ｃを薄く構成し、又はリブ部２２ｄを設ける横方向の間隔を大きくしても、中間板部２２ｃの横方向の強度が補強されて同強度をある程度大きく保つことができ、中間板部２２ｃの横方向に沿った上下方向への曲げを防止することができる。
【００２８】
ｄ．第４実施形態
次に、本発明の第４実施形態について図面を用いて説明する。図４Ａは第４実施形態に係る電子楽器の鍵盤装置の縦断側面図である。図４Ｂは図４Ａのフレーム２２の後部分を上方から見た拡大部分平面図であり、図４Ｃは図４ＢのＣ−Ｃ線に沿って見たフレーム２２の部分背面図である。
【００２９】
この第４実施形態に係る鍵盤装置においては、上記第３実施形態の中間板部２２ｃの下面に、支持部材２１に固定するためのボス部２２ｃ３を一体形成したことにある。具体的には、円柱状のボス部２２ｃ３が、上記第３実施形態の補強用リブ部２２ｃ２の下面に、中間板部２２ｃの横方向に所定間隔を隔てて一体形成されている。また、この場合も、ボス部２２ｃ３は、上下方向において、前板部２２ａ、後板部２２ｂ、及びリブ部２２ｄに設けた切り欠き２２ｄの端面に対向しないように中間板部２２ｃに設けられている。なお、この場合、中間板部２２ｃを支持部材２１に固定するためのねじ２４は、この支持部材２１の下面側から支持部材２１を通過し、ボス部２２ｃ３の下面からボス部２２ｃ３内に侵入する。他の構成は、上記第３実施形態と同じである。
【００３０】
上記のように構成した第４実施形態においても、上記第１乃至第３実施形態と同様に、鍵２３の押離鍵操作に応じて楽音信号の発生が制御される。そして、この第４実施形態は、前述のように、第３実施形態に係る鍵盤装置における中間板部２２ｃにボス部２２ｃ３を設けた点だけ第３実施形態と相違する。したがって、この第４実施形態によれば、上記第３実施形態の効果に加え、フレーム２２を支持部材２１に固定する際に、前板部２２ａと後板部２２ｂの間にて上方から中間板部２２ｃにねじ、工具などを挿入する必要がなくなり、中間板部２２ｃを支持部材２１の下方からねじ２４により固定することができるようになり、フレーム２２の支持部材２１に対する組み付け作業が簡単になる。
【００３１】
ｅ．その他の変形例
さらに、本発明の実施にあたっては、上記第１乃至第４実施形態に限定されるものではなく、本発明の目的を逸脱しない限りにおいて種々の変更が可能である。
【００３２】
上記第１乃至第４実施形態においては、中間板部２２ｃの前後幅は、前板部２２ａと後板部２２ｂの間隔よりも小さくした。しかし、中間板部２２ｃが、上下方向において、前板部２２ａ及び後板部２２ｂに対向しなければ、型をスライドさせる必要がないので、上記第１乃至第４実施形態における中間板部２２ｃの前後幅は、前板部２２ａと後板部２２ｂの間隔以下であればよい。
【００３３】
上記第２乃至第４実施形態においては、リブ部２２ｄの下部に後端面から前方に延びた切り欠き２２ｄ１を設けるようにした。しかし、これに代えて、リブ部２２ｄの下部に前端面から後方に延びた切り欠きを設けるようにしてもよい。具体的には、リブ部２２ｄにおいて、中間板部２２ｃの上面位置から上方に所定長さだけ隔てた中間位置までの範囲で、リブ部２２ｄの前端面から所定の長さだけ後方に切り欠いた方形状の切り欠きを設けてもよい。この場合、この切り欠きにより、中間板部２２ｃの前側部分の上方に横方向に連続した空間が形成されるので、中間板部２２ｃの前部側の上面に、長尺の下限ストッパ２７を横方向に延設して固着するとよい。
【００３４】
上記第３実施形態においては、上記第２実施形態に係る鍵盤装置、すなわち切り欠き２２ｃ１を設けた中間板部２２ｃに補強用リブ部２２ｃ２を設けるようにした。しかし、これに限らず、切り欠き２２ｃ１を有さない中間板部２２ｃすなわち上記第１実施形態の中間板部２２ｃの下面に、上記第３実施形態の補強用リブ部２２ｃ２と同様な補強用リブを一体形成するようにしてもよい。これによっても、中間板部２２ｃを薄く構成しても、中間板部２２ｃの横方向の強度が補強されて同強度をある程度大きく保つことができ、中間板部２２ｃの横方向に沿った上下方向への曲げを防止することができる。
【００３５】
上記第４実施形態においては、上記第３実施形態に係る鍵盤装置、すなわち補強用リブ部２２ｃ２を設けた中間板部２２ｃにボス部２２ｃ３を設けるようにした。しかし、これに限らず、補強用リブ部２２ｃ２を有さない中間板部２２ｃすなわち第１及び第２実施形態の中間板部２２ｃの下面に、上記第４実施形態のボス部２２ｃ３と同様なボス部を一体形成するようにしてもよい。これによっても、中間板部２２ｃを支持部材２１の下方からねじ２４により固定することができるようになり、フレーム２２の支持部材２１に対する組み付け作業が簡単になる。
【図面の簡単な説明】
【００３６】
【図１Ａ】本発明の第１実施形態に係る電子楽器の鍵盤装置の縦断側面図である。
【図１Ｂ】図1Ａのフレームの後部分を上方から見た拡大部分平面図である。
【図１Ｃ】図１ＢのＣ−Ｃ線に沿って見たフレームの部分背面図である。
【図２Ａ】本発明の第２実施形態に係る電子楽器の鍵盤装置の縦断側面図である。
【図２Ｂ】図２Ａのフレームの後部分を上方から見た拡大部分平面図である。
【図２Ｃ】図２ＢのＣ−Ｃ線に沿って見たフレームの部分背面図である。
【図３Ａ】本発明の第３実施形態に係る電子楽器の鍵盤装置の縦断側面図である。
【図３Ｂ】図３Ａのフレームの後部分を上方から見た拡大部分平面図である。
【図３Ｃ】図３ＢのＣ−Ｃ線に沿って見たフレームの部分背面図である。
【図４Ａ】本発明の第４実施形態に係る電子楽器の鍵盤装置の縦断側面図である。
【図４Ｂ】図４Ａのフレームの後部分を上方から見た拡大部分平面図である。
【図４Ｃ】図４ＢのＣ−Ｃ線に沿って見たフレームの部分背面図である。
【図５】従来例を示す電子楽器の鍵盤装置の縦断側面図である。
【図６】他の従来例を示す電子楽器の鍵盤装置の縦断側面図である。
【符号の説明】
【００３７】
２１…支持部材、２２…フレーム、２２ａ…前板部、２２ｂ…後板部、２２ｃ…中間板部、２２ｃ１…切り欠き、２２ｃ２…補強用リブ部、２２ｃ３…ボス部、２２ｄ…リブ部、２２ｄ１…切り欠き、２３…鍵、２６…揺動レバー、２７…下限ストッパ、２８…上限ストッパ
【図１Ａ】
0005131465.tif 000002
【図１Ｂ】
0005131465.tif 000003
【図１Ｃ】
0005131465.tif 000004
【図２Ａ】
0005131465.tif 000005
【図２Ｂ】
0005131465.tif 000006
【図２Ｃ】
0005131465.tif 000007
【図３Ａ】
0005131465.tif 000008
【図３Ｂ】
0005131465.tif 000009
【図３Ｃ】
0005131465.tif 000010
【図４Ａ】
0005131465.tif 000011
【図４Ｂ】
0005131465.tif 000012
【図４Ｃ】
0005131465.tif 000013
【図５】
0005131465.tif 000014
【図６】
0005131465.tif 000015